(57)【要約】【課題】カバー越しの外観を良好にし、美観を向上する。【解決手段】ラベル作成装置１の上カバー５は、透明なロールカバー５Ａと、右壁部１０１ＲＲ及び左壁部１０１ＬＬを備えた不透明なサイドカバー５Ｂとからなり、左・右壁部１０１ＬＬ，１０１ＲＲは、左・右上端部１０１Ｌａ，１０１Ｒａと、下方に延びる左・右側面部１０１Ｌｂ，１０１Ｒｂと、を有し、ロールカバー５Ａは、上面部２０１と、下方に延びる左・右側壁部２０２Ｌ，２０２Ｒと、サイドカバー５Ｂの左・右上端部１０１Ｌａ，１０１Ｒａの下方内側に入り込むように設けられた左・右係合部２０３Ｌ，２０３Ｒと、を有し、上記左・右壁部１０１ＬＬ，１０１ＲＲは更に、上記左・右側壁部２０２Ｌ，２０２Ｒ側には突出しないように左・右上端部１０１Ｌａ，１０１Ｒａから下方に延びる左・右被係合部１０１Ｌ，１０１Ｒを有する。【選択図】図５
2019018515.tif 000002
【特許請求の範囲】
【請求項１】
本体部と、
前記本体部に設けられ、被印字媒体を巻回したロールを収容する収容部と、
前記収容部を露出する開位置から前記収容部を覆う閉位置までに亙って開閉可能な上カバーと、
を備える印刷装置であって、
前記上カバーは、
前記収容部の上方を覆う透明な第１カバーと、
前記第１カバーの左右側に夫々固定されて前記収容部の左・右側方を夫々覆う左・右壁部を備えた、不透明な第２カバーと、
からなり、
前記第２カバーの前記左壁部は、
上方からの平面視で前後方向に延びる略矩形形状となる左上端部と、前記左上端部の左端から下方に延びる左側面部と、を有し、
前記第２カバーの前記右壁部は、
上方からの平面視で前後方向に延びる略矩形形状となる右上端部と、前記右上端部の右端から下方に延びる右側面部と、を有し、
前記第１カバーは、
前記第２カバーの前記左上端部と前記右上端部との間に嵌め込まれ、上方からの平面視で略矩形状となる上面部と、
前記上面部の左・右両端の夫々から下方に延びる左・右側壁部と、
前記左・右側壁部の外側に、前記第２カバーの前記左・右上端部の下方内側に入り込むように設けられた左・右係合部と、
を有し、
前記第２カバーの前記左壁部は更に、
前記第１カバーの前記左側壁部側には突出しないように前記左上端部の下面から下方に延び、前記左係合部と係合する左被係合部を有し、
前記第２カバーの前記右壁部は更に、
前記第１カバーの前記右側壁部側には突出しないように前記右上端部の下面から下方に延び、前記右係合部と係合する右被係合部を有する
ことを特徴とする印刷装置。
【請求項２】
前記左・右被係合部は、前記左・右壁部のうち前後方向中央近傍に夫々設けられ、
前記左・右係合部は、前記左・右係合部に対応して、前記左・右側壁部の前後方向中央近傍に夫々設けられる
ことを特徴とする請求項１記載の印刷装置。
【請求項３】
前記第１カバーは更に、
上方からの平面視で前後方向に延びる前記上面部の左・右縁部に沿って夫々延設され、前記左・右係合部の上方において前記左・右上端部の下方内側に入り込むように前記左・右側壁部から外側に夫々突出する、左・右目隠しリブを有する
ことを特徴とする請求項２記載の印刷装置。
【請求項４】
前記第２カバーの前記左壁部及び前記右壁部の前後方向中央近傍には、前記第１カバーの前記上面部との嵌め込み時に用いられる、左・右嵌込部が夫々設けられており、
２つの前記左係合部が前記左側壁部の前後方向中央近傍に設けられるとともに、２つの前記右係合部が前記右側壁部の前後方向中央近傍に設けられており、
前記左目隠しリブは、上方からの平面視において前記２つの左係合部の間に位置し、前記左嵌込部が嵌め込まれる左被嵌込部を有し、
前記右目隠しリブは、上方からの平面視において前記２つの右係合部の間に位置し、前記右嵌込部が嵌め込まれる右被嵌込部を有する
ことを特徴とする請求項３記載の印刷装置。
【請求項５】
前記第１カバーは更に、
前記上面部の後端又はその近傍の下方に設けられ、前記本体部に対し揺動可能に枢支されるヒンジ部と、
前記上面部の前端又はその近傍の下方に設けられ、前記被印字媒体を搬送する搬送ローラを回転可能に保持する保持部と、
前記上面部の下側において左・右一対に形成され、前記ヒンジ部と前記保持部とを繋ぐように前後方向に夫々延びる左・右補強リブと、
を有することを特徴とする請求項４に記載の印刷装置。
【請求項６】
前記第１カバーは更に、
前記左側壁部の右側の面のうち前記左嵌込部に対応する部位と前記左補強リブとを連結する、左連結リブと、
前記右側壁部の左側の面のうち前記右嵌込部に対応する部位と前記右補強リブとを連結する、右連結リブと、
を有することを特徴とする請求項５記載の印刷装置。
【請求項７】
前記第１カバーは更に、
前記左・右側壁部に、前記第２カバーの前記左・右側面部側に向かって外側に張り出すように夫々設けられるとともに、ネジ止め用の第１貫通孔と位置決め用の第２貫通孔とを夫々備えた、左・右張出部を有し、
前記第２カバーの前記左壁部は、
前記第１カバーの前記左側壁部側には突出しないように前記左上端部の下面から下方に延設された、前記左張出部の前記第１貫通孔を貫通したネジを締結するネジ穴を有するネジ止め用の左第１ボス、及び、前記左張出部の前記第２貫通孔に嵌合する位置決め用の左第２ボス、を備え、
前記第２カバーの前記右壁部は、
前記第１カバーの前記右側壁部側には突出しないように前記右上端部の下面から下方に延設された、前記右張出部の前記第１貫通孔を貫通したネジを締結するネジ穴を有するネジ止め用の右第１ボス、及び、前記右張出部の前記第２貫通孔に嵌合する位置決め用の右第２ボス、を備える
ことを特徴とする請求項１乃至請求項６の何れか１項に記載の印刷装置。
【請求項８】
前記第１貫通孔及び前記第２貫通孔は、前記左・右張出部の前端近傍と後端近傍とに夫々設けられ、
前記左・右第１ボス及び前記左・右第２ボスは、前記左・右壁部のうち前記第１貫通孔及び前記第２貫通孔に夫々対応する位置に設けられる
ことを特徴とする請求項７記載の印刷装置。
【発明の詳細な説明】
【技術分野】
【０００１】
本発明は、被印字媒体を収容する収容部を覆う上カバーを備えた印刷装置に関する。
【背景技術】
【０００２】
筐体と、上カバーとを備えた印刷装置（ラベル作成装置）が知られている（例えば、特許文献１参照）。この従来技術による印刷装置では、上カバーは、上記収容部を覆う上カバー本体と、上カバー本体の左右側に位置する左右側カバー部材と、を備えており、被印字媒体（被印字テープ）を収容する収容部（ロール収納部）を開閉可能に構成されている。また上カバー本体には、収容部に収容された被印字テープを外部から視認するための透明樹脂製の透明窓が設けられている。
【先行技術文献】
【特許文献】
【０００３】
【特許文献１】特開２０１１−７３２３９号公報（段落００２８、００７７等）
【発明の概要】
【発明が解決しようとする課題】
【０００４】
上記従来技術においては、上記左右側カバー部材は、上カバー本体の左右に夫々ネジで固着されている。一方、上記透明窓は、上カバー本体に形成された開口部７０に嵌め込まれている。
【０００５】
ここで、上記従来技術において、筐体内への視認性をより高め、且つ部品点数を少なくするために、透明窓を設けることなく、上カバー本体自体を透明にすることが考えられる。しかしながらこの場合、透明な上カバー本体を通して、左右側カバー部材の取付け部分が見えて、外観上、見苦しくなる虞があった。
【０００６】
本発明の目的は、カバー越しの外観を良好にし、美観を向上できる印刷装置を提供することにある。
【課題を解決するための手段】
【０００７】
上記目的を達成するために、本願発明は、本体部と、前記本体部に設けられ、被印字媒体を巻回したロールを収容する収容部と、前記収容部を露出する開位置から前記収容部を覆う閉位置までに亙って開閉可能な上カバーと、を備える印刷装置であって、前記上カバーは、前記収容部の上方を覆う透明な第１カバーと、前記第１カバーの左右側に夫々固定されて前記収容部の左・右側方を夫々覆う左・右壁部を備えた、不透明な第２カバーと、からなり、前記第２カバーの前記左壁部は、上方からの平面視で前後方向に延びる略矩形形状となる左上端部と、前記左上端部の左端から下方に延びる左側面部と、を有し、前記第２カバーの前記右壁部は、上方からの平面視で前後方向に延びる略矩形形状となる右上端部と、前記右上端部の右端から下方に延びる右側面部と、を有し、前記第１カバーは、前記第２カバーの前記左上端部と前記右上端部との間に嵌め込まれ、上方からの平面視で略矩形状となる上面部と、前記上面部の左・右両端の夫々から下方に延びる左・右側壁部と、前記左・右側壁部の外側に、前記第２カバーの前記左・右上端部の下方内側に入り込むように設けられた左・右係合部と、を有し、前記第２カバーの前記左壁部は更に、前記第１カバーの前記左側壁部側には突出しないように前記左上端部の下面から下方に延び、前記左係合部と係合する左被係合部を有し、前記第２カバーの前記右壁部は更に、前記第１カバーの前記右側壁部側には突出しないように前記右上端部の下面から下方に延び、前記右係合部と係合する右被係合部を有することを特徴とする。
【０００８】
本願発明の印刷装置の上カバーは、透明な第１カバーと不透明な第２カバーとから構成され、第２カバーの左・右壁部の左・右上端部の間に、第１カバーの上面部が嵌め込まれる。その際、第２カバーの左・右壁部には、上記左・右上端部の下面から下方に延びる左・右被係合部が設けられており、第１カバーの左・右側壁部に設けられた左・右係合部が、それら左・右被係合部に夫々係合することで、互いに組み付けられる。
【０００９】
このとき、左・右被係合部は、第２カバーの上記左・右上端部の下方内側に入り込むように設けられていることから、上記左・右係合部と左・右被係合部との係合箇所は、不透明な第２カバーの左・右上端部の下方に位置する。これにより、上方から透明な第１カバー越しに見た場合であっても、外部からそれら係合箇所は視認されない。この結果、従来構造を応用してカバー自体を透明にする場合と異なり、カバー越しの外観を良好にし、美観を向上することができる。
【発明の効果】
【００１０】
本発明によれば、カバー越しの外観を良好にし、美観を向上することができる。
【図面の簡単な説明】
【００１１】
【図１】本発明の一実施形態のラベル作成装置を前方右上方から見た斜視図である。
【図２】ラベル作成装置の上カバーを開いた状態の外観を表す斜視図である。
【図３】ラベル作成装置の内部構造を表す側断面図である。
【図４】上カバーの外観を表す上面図である。
【図５】ロールカバーをサイドカバーに組み付けるときの挙動を表す斜視図である。
【図６】サイドカバーの裏面構造を表す斜視図である。
【図７】サイドカバーの裏面構造を表す斜視図である。
【図８】ロールカバーの詳細構造を表す斜視図である。
【図９】ロールカバーの裏面構造を表す斜視図である。
【図１０】ロールカバーの裏面構造を表す斜視図である。
【図１１】上カバーの詳細構造を表す側断面図である。
【図１２】上カバーの外観を表す上面図である。
【図１３】図１２中ＸＩＩＩ−ＸＩＩＩ断面による横断面図である。
【図１４】図１２中ＸＩＶ−ＸＩＶ断面による横断面図である。
【図１５】ラベル作成装置の外観を表す上面図である。
【図１６】ラベル作成装置の外観を表す透視上面図である。
【発明を実施するための形態】
【００１２】
以下、本発明の一実施の形態を図面を参照しつつ説明する。
【００１３】
＜ラベル作成装置の概略構造＞
まず、図１を用いて、本実施形態のラベル作成装置１（印刷装置に相当）の外観概略構造を説明する。なお、以下の説明において、上下方向、前後方向、左右方向は、図１等の各図中に適宜示す矢印方向に対応している。 
【００１４】
図１において、ラベル作成装置１は、筐体２（本体部に相当）と、上カバー５と、を有している。これら筐体２及び上カバー５は、例えば樹脂製である。
【００１５】
筐体２は、筐体本体３と、この筐体本体３の前側上部に設けられるフロントパネル６と、を備えている。
【００１６】
筐体本体３の側壁には、ユーザが前方側へ手動操作することで筐体２への上カバー５の係止を解除して、上カバー５を開放可能な状態にする解除つまみ１７が設けられている。
【００１７】
フロントパネル６には、印字済の被印字テープ（後述）を筐体２の内部から外部へと排出する排出口６Ａが設けられている。またフロントパネル６の前側上面には、電源ボタン７Ａと、所定の長さ分だけ上記被印字テープを排出するフィードボタン７Ｂと、カッターユニット（後述）による上記被印字テープの切断を行わせるカッターボタン７Ｃ、等のボタンを含む操作部７が配置されている。
【００１８】
上カバー５は、ロールカバー５Ａ（第１カバーに相当）と、ロールカバー５Ａに組み付けられるサイドカバー５Ｂ（第２カバーに相当）とから構成されている。なお、上カバー５は、後述の開位置から閉位置までにわたって開閉可能となっている（詳細は後述）。
【００１９】
＜ラベル作成装置の内部構造＞
次に、図２及び図３を用いて、ラベル作成装置１の内部構造について説明する。これら図２及び図３において、ラベル作成装置１は、筐体２の内部空間の後方に、凹状のロール収納部４（収容部に相当）を有している。このロール収納部４は、所定幅の被印字テープ１００Ａ（被印字媒体に相当）をロール状に巻回したロール１００を、被印字テープ１００Ａがロール上側より繰り出されるように収納する。
【００２０】
ロールカバー５Ａの前端部下側には、プラテンローラ６６（搬送ローラに相当）のローラ軸６６Ａが、軸方向両端に設けたブラケット６５Ｌ，６５Ｒ（保持部に相当）により回転自在に軸支されている。プラテンローラ６６は、上記ロール収納部４に収納されたロール１００から被印字テープ１００Ａを繰り出して搬送する。ローラ軸６６Ａの片方の軸端には、上記プラテンローラ６６を駆動するギア６６Ｂが固定されている。
【００２１】
上記被印字テープ１００Ａは、図３中の拡大図に示すように、感熱紙１００ａ、粘着剤層１００ｂ、及び剥離紙１００ｃが積層された３層構造となっている。感熱紙１００ａは、自己発色性を有する長尺状のテープである。感熱紙１００ａの表面(図４中の拡大図においては下面)が、印字面である。粘着剤層１００ｂは、感熱紙１００ａの裏面（図４中の拡大図においては上面）に形成された粘着剤の層である。剥離紙１００ｃは、粘着剤層１００ｂに貼着された長尺状のテープであり、粘着剤層１００ｂから剥離可能である。このような被印字テープ１００Ａを、「無定長ラベル」という。
【００２２】
なお、ラベル作成装置１は、上記の「無定長ラベル」の他、予め所定形状に切断された複数の感熱紙が、粘着剤層により剥離紙に貼着されている「ダイカットラベル」という被印字テープも使用可能である。
【００２３】
このとき、ロール１００は、上記感熱紙１００ａの印字面が径方向内側となるように、被印字テープ１００Ａがロール状に巻回されて構成されている。その結果、被印字テープ１００Ａは感熱紙１００ａの印字面を下方とした状態でロール１００の上側から繰り出され、被印字テープ１００Ａの下側に配置された印字ヘッド６１によって印字されるようになっている。
【００２４】
上記印字ヘッド６１は、その中間部を軸支されると共に、バネ部材６４により上方に付勢された支持部材６２の一端に固定されている。なお、図３中では、ロール１００より繰り出され搬送され、印字ヘッド６１により印字が形成される被印字テープ１００Ａの搬送経路を、一点鎖線で示している。
【００２５】
このとき、上カバー５におけるプラテンローラ６６の組み付け位置は、筐体２の印字ヘッド６１の設置位置と対応している。すなわち、図２に示すようにロール収納部４を露出する開位置から、図１及び図３に示すロール収納部４を覆う閉位置へと上カバー５を閉じることで、バネ部材６４の付勢力により印字ヘッド６１は被印字テープ１００Ａをプラテンローラ６６へと押圧付勢する。この結果、上カバー５側に設けられたプラテンローラ６６と、筐体２側に設けられた印字ヘッド６１とで被印字テープ１００Ａが挟持され、印字ヘッド６１による印字が可能な状態になる。また上カバー５を閉じることによって、プラテンローラ６６の上記ギア６６Ｂが筐体２側の図示しないギア列に噛合し、ステッピングモータ等で構成されるプラテンローラ用モータ（図示省略）によりプラテンローラ６６を回転駆動して、被印字テープ１００Ａの搬送が可能になる。一方、解除つまみ１７によって上カバー５を開放状態にすると印字ヘッド６１はプラテンローラ６６から離間した状態となる（図２も参照）。
【００２６】
さらに、印字ヘッド６１のテープ搬送方向下流側には、カッターユニット８が設けられている。カッターユニット８は、固定刃４６と、この固定刃４６の前方側（言い換えれば搬送方向下流側）に対向配置された可動刃４７と、を備えている。
【００２７】
可動刃４７は、切断用モータ（図示省略）によって、上記固定刃４６に対し、被印字テープ１００Ａの搬送方向と交差する（この例では略直交する）切断方向（図３中下から上方向）に摺動可能に配置されている。詳細には、可動刃４７は、下側の待機位置から上側の切断位置までの間、当該摺動方向に沿って移動可能であり、この待機位置から切断位置までの移動により、上記被印字テープ１００Ａを固定刃４６と協働して幅方向（左右方向）に切断する。
【００２８】
なお、図３においては、便宜的に、上記切断位置にある状態の可動刃（図中「４７」で示す）と、上記待機位置にある状態の可動刃（図中「４７′」で示す）と、を併記している。
【００２９】
カッターユニット８の前方側（言い換えれば搬送方向下流側）には、上案内部２００及び下案内部３００が設けられている。上案内部２００はフロントパネル６の下部に設けられており、下案内部３００は、筐体本体３の前方側部分に設けられている。印字が形成された上記被印字テープ１００Ａは、上記上案内部２００と上記下案内部３００との間を通ってそれらによってガイドされつつ、上記排出口６Ａへと搬送される。
【００３０】
＜ラベル作成装置の概略動作＞
上記構成のラベル作成装置１において、上カバー５を閉じ、その後、プラテン用モータによりプラテンローラ６６が回転駆動されると、被印字テープ１００Ａが引っ張られる。これにより、被印字テープ１００Ａがロール１００から繰り出される。ロール１００より繰り出された被印字テープ１００Ａは、搬送経路をプラテンローラ６６と印字ヘッド６１との接触位置まで搬送される。このとき、印字ヘッド６１が駆動制御されることによって、被印字テープ１００Ａの感熱紙１００ａの印字面に印字が行われる。その後、感熱紙１００ａに印字が形成された被印字テープ１００Ａは、フロントパネル６の下部に設けられた上記上案内部２００と、筐体本体３に設けられた下案内部３００との間を通ってそれらによってガイドされつつ、上記排出口６Ａからフロントパネル６上に排出される。そして、被印字テープ１００Ａがカッターユニット８から所定長延出された時点で、ユーザが上記カッターボタン７Ｃを操作すると、被印字テープ１００Ａがカッターユニット８により切断される。ユーザは、切断された被印字テープ１００Ａの剥離紙１００ｃを剥がし、印字された感熱紙１００ａを、印字ラベルとして被着体（物品等）に貼り付けて使用する。
【００３１】
＜実施形態の特徴＞
上記基本構成及び動作であるラベル作成装置１において、本実施形態の特徴は、上記ロールカバー５Ａ及び上記サイドカバー５Ｂの詳細構造にある。以下、順を追って説明する。
【００３２】
＜上カバーの詳細構造＞
図１に示す構造のうち、上カバー５（ロールカバー５Ａ及びサイドカバー５Ｂ）のみを抽出して示す上面図を図４に示す。また、ロールカバー５Ａをサイドカバー５Ｂに組み付けるときの挙動を図５に示す。
【００３３】
図４及び図５において、前述したように、上カバー５は、上記ロール収納部４の上方を覆う透明な上記ロールカバー５Ａと、ロールカバー５Ａに組み付けられた不透明なサイドカバー５Ｂと、を備えている。なお、この例ではロールカバー５Ａは完全に左右対称形状であり、サイドカバー５Ｂも完全に左右対称形状であるため、一部分については左右のいずれか一方側の形状のみを図示し、他方側の形状の図示を省略している。
【００３４】
＜サイドカバーの右壁部・左壁部＞
サイドカバー５Ｂは、図４〜図７に示すように、上記ロールカバー５Ａの右側に固定されてロール収納部４の右側方を覆う右壁部１０１ＲＲと、上記ロールカバー５Ａの左側に固定されてロール収納部４の左側方を覆う左壁部１０１ＬＬと、を備えている。上記右壁部１０１ＲＲは、上方からの平面視で前後方向に延びる略矩形形状となる右上端部１０１Ｒａと、右上端部１０１Ｒａの右端から下方に延びる右側面部１０１Ｒｂと、を有する。同様に、上記左壁部１０１ＬＬは、上方からの平面視で前後方向（図４中左右方向、以下同様）に延びる略矩形形状となる、左上端部１０１Ｌａと、左上端部１０１Ｌａの左端から下方に延びる左側面部１０１Ｌｂと、を有する。
【００３５】
＜ロールカバーの右側壁部・左側壁部＞
一方、ロールカバー５Ａは、図５、図８〜図１０に示すように、サイドカバー５Ｂの上記左上端部１０１Ｌａと右上端部１０１Ｒａとの間に嵌め込まれ、上方からの平面視で略矩形状となる上面部２０１と、上面部２０１の右端から下方に延びる右側壁部２０２Ｒと、上面部２０１の左端から下方に延びる左側壁部２０２Ｌと、を有する。
【００３６】
＜ロールカバーの右係合部・左係合部＞
このとき、右側壁部２０２Ｒには、外側に張り出すように略水平に右張出部２０４Ｒが設けられ、ロールカバー５Ａの左側壁部２０２Ｌには、外側に張り出すように略水平に左張出部２０４Ｌが設けられている。そして、ロールカバー５Ａは、上記サイドカバー５Ｂの組み付け時の便宜を図るために、上記右側壁部２０２Ｒの外側に設けられた右係合部２０３Ｒｆ，２０３Ｒｒ（以下適宜、単に「右係合部２０３Ｒ」と総称する）と、上記左側壁部２０２Ｌの外側に設けられた２つの左係合部２０３Ｌｆ，２０３Ｌｒ（以下適宜、単に「左係合部２０３Ｌ」と総称する）と、を有する。この例では、右係合部２０３Ｒは、上記右側壁部２０２Ｒの前後方向中央近傍に設けられており、左係合部２０３Ｌは、上記左側壁部２０２Ｌの前後方向中央近傍に設けられている。また、右係合部２０３Ｒは、上記右側壁部２０２Ｒに沿って上下方向に延び、かつ下端が上記右張出部２０４Ｒに接する中空の角筒状に形成されており、左係合部２０３Ｌは、上記左側壁部２０２Ｌに沿って上下方向に延び、かつ下端が上記左張出部２０４Ｌに接する中空の角筒状に形成されている。
【００３７】
＜サイドカバーの右被係合部・左被係合部＞
そして、上記に対応して、図５〜図７に示すように、サイドカバー５Ｂの上記右壁部１０１ＲＲは、上記右上端部１０１Ｒａの下面から下方に延びる右被係合部１０１Ｒｆ，１０１Ｒｒ（以下適宜、単に「右被係合部１０１Ｒ」と総称する）を有する。同様に、上記左壁部１０１ＬＬは、上記左上端部１０１Ｌａの下面から夫々下方に延びる左被係合部１０１Ｌｆ，１０１Ｌｒ（以下適宜、単に「左被係合部１０１Ｌ」と総称する）を有する。
【００３８】
＜ロールカバーの係合部とサイドカバーの被係合部との係合＞
この例では、２つの上記右被係合部１０１Ｒｆ，１０１Ｒｒは、上記右壁部１０１ＲＲのうち前後方向の中央近傍に夫々設けられている（図６、図７参照）。そして、それら右被係合部１０１Ｒｆ，１０１Ｒｒは右側面部１０１Ｒｂに沿って下方に突出する爪状に形成されており（図５〜図７参照）、それら爪状の右被係合部１０１Ｒｆ，１０１Ｒｒが、上記角筒状の右係合部２０３Ｒｆ，２０３Ｒｒの上記中空部分に夫々差し込まれて係合する（図５中の破線矢印参照）。同様に、２つの上記左被係合部１０１Ｌｆ，１０１Ｌｒは、上記左壁部１０１ＬＬのうち前後方向の中央近傍に夫々設けられている（図７参照）。そして、それら左被係合部１０１Ｌｆ，１０１Ｌｒは左側面部１０１Ｌｂに沿って下方に突出する爪状に形成されており（図７参照）、それら爪状の左被係合部１０１Ｌｆ，１０１Ｌｒが、上記角筒状の左係合部２０３Ｌｆ，２０３Ｌｒの上記中空部分に夫々差し込まれて係合する。
【００３９】
＜ロールカバーの位置決め用貫通孔及びネジ止め用貫通孔＞
また、ロールカバー５Ａの上記右張出部２０４Ｒには、図５、図８〜図１０等に示すように、２つのネジ止め用貫通孔２０５Ｒｆ，２０５Ｒｒ（第１貫通孔に相当）と、２つの位置決め用貫通孔２０６Ｒｆ，２０６Ｒｒ（第２貫通孔に相当）と、が夫々備えられている。ネジ止め用貫通孔２０５Ｒｆ及び位置決め用貫通孔２０６Ｒｆは、右張出部２０４Ｒのうちの前方側端部近傍に設けられ、ネジ止め用貫通孔２０５Ｒｒ及び位置決め用貫通孔２０６Ｒｒは、右張出部２０４Ｒのうちの後方側端部近傍に設けられている。詳細には、位置決め用貫通孔２０６Ｒｆが、右張出部２０４Ｒのうち上記ネジ止め用貫通孔２０５Ｒｆよりもさらに前方側に設けられ、ネジ止め用貫通孔２０５Ｒｒが右張出部２０４Ｒのうち上記位置決め用貫通孔２０６Ｒｒよりもさらに後方側に設けられている。また、この例では、前方側の上記位置決め用貫通孔２０６Ｒｆは略円形の孔であるのに対し、後方側の上記位置決め用貫通孔２０６Ｒｒは前後方向に長い略矩形の孔となっている。
【００４０】
同様に、ロールカバー５Ａの上記左張出部２０４Ｌには、図９、図１０等に示すように、２つのネジ止め用貫通孔２０５Ｌｆ，２０５Ｌｒ（第１貫通孔に相当）と、２つの位置決め用貫通孔２０６Ｌｆ，２０６Ｌｒ（第２貫通孔に相当）と、が夫々備えられている。ネジ止め用貫通孔２０５Ｌｆ及び位置決め用貫通孔２０６Ｌｆは、左張出部２０４Ｌのうちの前方側端部近傍に設けられ、ネジ止め用貫通孔２０５Ｌｒ及び位置決め用貫通孔２０６Ｌｒは、左張出部２０４Ｌのうちの後方側端部近傍に設けられている。詳細には、位置決め用貫通孔２０６Ｌｆが、左張出部２０４Ｌのうち上記ネジ止め用貫通孔２０５Ｌｆよりもさらに前方側に設けられ、ネジ止め用貫通孔２０５Ｌｒが左張出部２０４Ｌのうち上記位置決め用貫通孔２０６Ｌｒよりもさらに後方側に設けられている。また、この例では、前方側の上記位置決め用貫通孔２０６Ｌｆは略円形の孔であるのに対し、後方側の上記位置決め用貫通孔２０６Ｌｒは前後方向に長い略矩形の孔となっている。
【００４１】
＜サイドカバーの位置決め用ボス及びネジ止め用ボス＞
上記に対応して、上記サイドカバー５Ｂの上記右壁部１０１ＲＲには、図５〜図７等に示すように、上記右張出部２０４Ｒの上記ネジ止め用貫通孔２０５Ｒｆ，２０５Ｒｒをそれぞれ貫通したネジ（図示省略）を締結するネジ穴を有する、ネジ止め用ボス１０５Ｒｆ，１０５Ｒｒ（右第１ボスに相当）と、右張出部２０４Ｒの上記位置決め用貫通孔２０６Ｒｆ，２０６Ｒｒにそれぞれ嵌合する位置決め用ボス１０６Ｒｆ，１０６Ｒｒ（右第２ボスに相当）とが、右上端部１０１Ｒａの下面から下方に延設されている。このとき、前述の配置に対応し、ネジ止め用ボス１０５Ｒｆ及び位置決め用ボス１０６Ｒｆは、上記右上端部１０１Ｒａのうちの前方側端部近傍に設けられ、ネジ止め用ボス１０５Ｒｒ及び位置決め用ボス１０６Ｒｒは、上記右上端部１０１Ｒａのうちの後方側端部近傍に設けられている。詳細には、位置決め用ボス１０６Ｒｆが、右上端部１０１Ｒａのうち上記ネジ止め用ボス１０５Ｒｆよりもさらに前方側に設けられ、ネジ止め用ボス１０５Ｒｒが右上端部１０１Ｒａのうち上記位置決め用ボス１０６Ｒｒよりもさらに後方側に設けられている。また、この例では、ネジ止め用ボス１０５Ｒｆ，１０５Ｒｒは横断面が略円形となる略円筒形状に形成されており、位置決め用ボス１０６Ｒｆ，１０６Ｒｒは、横断面が略十字形となる略尖塔形状に形成されている。
【００４２】
同様に、上記サイドカバー５Ｂの上記左壁部１０１ＬＬには、図５〜図７等に示すように、上記左張出部２０４Ｌの上記ネジ止め用貫通孔２０５Ｌｆ，２０５Ｌｒをそれぞれ貫通したネジ（図示省略）を締結するネジ穴を有する、ネジ止め用ボス１０５Ｌｆ，１０５Ｌｒ（左第１ボスに相当）と、左張出部２０４Ｌの上記位置決め用貫通孔２０６Ｌｆ，２０６Ｌｒにそれぞれ嵌合する位置決め用ボス１０６Ｌｆ，１０６Ｌｒ（右第２ボスに相当）とが、左上端部１０１Ｌａの下面から下方に延設されている。このとき、前述の配置に対応し、ネジ止め用ボス１０５Ｌｆ及び位置決め用ボス１０６Ｌｆは、上記左上端部１０１Ｌａのうちの前方側端部近傍に設けられ、ネジ止め用ボス１０５Ｌｒ及び位置決め用ボス１０６Ｌｒは、上記左上端部１０１Ｌａのうちの後方側端部近傍に設けられている。詳細には、位置決め用ボス１０６Ｌｆが、左上端部１０１Ｌａのうち上記ネジ止め用ボス１０５Ｌｆよりもさらに前方側に設けられ、ネジ止め用ボス１０５Ｌｒが左上端部１０１Ｌａのうち上記位置決め用ボス１０６Ｌｒよりもさらに後方側に設けられている。また、上記同様、ネジ止め用ボス１０５Ｌｆ，１０５Ｌｒは横断面が略円形となる略円筒形状に形成されており、位置決め用ボス１０６Ｌｆ，１０６Ｌｒは、横断面が略十字形となる略尖塔形状に形成されている。
【００４３】
＜ロールカバーの目隠しリブ＞
また、ロールカバー５Ａには、図５及び図８に示すように、上方からの平面視で前後方向に延びる上記上面部２０１の右縁部に沿って延設され、上記右側壁部２０２Ｒから外側に突出する目隠しリブ２１０Ｒ（右目隠しリブに相当）が備えられている。この目隠しリブ２１０Ｒは、上方からの平面視において上記２つの右係合部２０３Ｒｆ，２０３Ｒｒの間に位置する、右被嵌込部２１０Ｒａを有する。このとき、上記に対応して、サイドカバー５Ｂの上記右壁部１０１ＲＲ（詳細には右上端部１０１Ｒａ）の前後方向中央近傍に右嵌込部１１０Ｒが設けられている。この右嵌込部１１０Ｒは、上記ロールカバー５Ａの上面部２０１と上記サイドカバー５Ｂの上記右上端部１０１Ｒａの嵌め込み時に、上記右被嵌込部２１０Ｒａへと嵌め込まれる（図５中の破線矢印参照）。
【００４４】
また、上記同様、ロールカバー５Ａには、上方からの平面視で前後方向に延びる上記上面部２０１の左縁部に沿って延設され、上記左側壁部２０２Ｌから外側に突出する目隠しリブ２１０Ｌ（後述の図１３参照。左目隠しリブに相当）が備えられている。この目隠しリブは、上方からの平面視において上記２つの左係合部２０３Ｌｆ，２０３Ｌｒの間に位置する、左被嵌込部２１０Ｌａ（後述の図１４参照）を有する。このとき、上記に対応して、サイドカバー５Ｂの上記左壁部１０１ＬＬ（詳細には左上端部１０１Ｌａ）の前後方向中央近傍に左嵌込部１１０Ｌ（後述の図１４参照）が設けられている。前述と同様、この左嵌込部１１０Ｌは、上記ロールカバー５Ａの上面部２０１と上記サイドカバー５Ｂの上記左上端部１０１Ｌａの嵌め込み時に、上記左被嵌込部２１０Ｌａへと嵌め込まれる。
【００４５】
＜ロールカバーの補強リブ＞
また、図９及び図１０に示すように、ロールカバー５Ａは、ヒンジ部２２０Ｌ，２２０Ｒと、左・右の上記ブラケット６５Ｌ，６５Ｒと、左補強リブ２３０Ｌ及び右補強リブ２３０Ｒと、を有する。ヒンジ部２２０Ｌ，２２０Ｒは、上記上面部２０１の後端近傍の下方に設けられる。左・右のブラケット６５Ｌ，６５Ｒは、上面部２０１の前端近傍の下方に設けられ、上記プラテンローラ６６を回転可能に保持する。左補強リブ２３０Ｌ及び右補強リブ２３０Ｒは、上面部２０１の下側において左・右一対に形成される。左補強リブ２３０Ｌは、ヒンジ部２２０Ｌと左ブラケット６５Ｌとを繋ぐように上面部２０１の下面において前後方向に延びる。右補強リブ２３０Ｒは、ヒンジ部２２０Ｒと右ブラケット６５Ｒとを繋ぐように上面部２０１の下面において前後方向に延びる。
【００４６】
上記ヒンジ部２２０Ｌ，２２０Ｒは、上記筐体２に対し揺動可能に枢支されている。これによって、ロールカバー５Ａが上記ヒンジ部２２０Ｌ，２２０Ｒにおいて筐体２に回動可能に接続され、上カバー５全体として筐体２に対し開閉可能な構造となっている。
【００４７】
＜ロールカバーの連結リブ＞
また、ロールカバー５Ａの上面部２０１の下面には、左連結リブ２４０Ｌと、右連結リブ２４０Ｒと、がそれぞれ左右方向に延びるように設けられる。左連結リブ２４０Ｌは、上記左側壁部２０２Ｌの右側の面（裏面）のうち上記左被嵌込部２１０Ｌａに対応する部位（この例では左被嵌込部２１０Ｌａの真裏）と上記左補強リブ２３０Ｌとを連結する。右連結リブ２４０Ｒは、上記右側壁部２０２Ｒの左側の面（裏面）のうち上記右被嵌込部２１０Ｒａに対応する部位（この例では右被嵌込部２１０Ｒａの真裏）と上記右補強リブ２３０Ｒとを連結する。
【００４８】
＜ロールカバー・サイドカバー組み付け後の構造＞
上記ロールカバー５Ａと上記サイドカバー５Ｂとが組み付けられた状態を、図４、図１１〜図１４により説明する。
【００４９】
ロールカバー５Ａと上記サイドカバー５Ｂとが組み付けられた状態においては、ロールカバー５Ａの上記右側壁部２０２Ｒの上記右張出部２０４Ｒは、上記サイドカバー５Ｂの上記右側面部１０１Ｒｂ側に向かって張り出している（図１３、図１４参照）。また、上記右係合部２０３Ｒｆ，２０３Ｒｒは、サイドカバー５Ｂの上記右上端部１０１Ｒａの下方内側に入り込んでいる（図１４参照）。このとき、上記右係合部２０３Ｒｆ，２０３Ｒｒに係合する、サイドカバー５Ｂの上記右壁部１０１ＲＲの右被係合部１０１Ｒｆ，１０１Ｒｒは、上記ロールカバー５Ａの上記右側壁部２０２Ｒ側には突出しないように上記右上端部１０１Ｒａから下方に延びている（図１４参照）。また、上記目隠しリブ２１０Ｒは、上記右係合部２０３Ｒの上方において右上端部１０１Ｒａの下方内側に入り込むように上記右側壁部２０２Ｒから突出している（図１４参照）。そして、前述の位置決め用貫通孔２０６Ｒｆ，２０６Ｒｒに嵌合する、上記右壁部１０１ＲＲの上記位置決め用ボス１０６Ｒｆ，１０６Ｒｒは、上記ロールカバー５Ａの上記右側壁部２０２Ｒ側には突出しないように、右上端部１０１Ｒａから下方に延びている（図１３参照）。同様に、右壁部１０１ＲＲのネジ止め用ボス１０５Ｒｆ，１０５Ｒｒは、ロールカバー５Ａの右側壁部２０２Ｒ側には突出しないように、右上端部１０１Ｒａから下方に延びている。
【００５０】
同様に、ロールカバー５Ａの上記左側壁部２０２Ｌの上記左張出部２０４Ｌは、上記サイドカバー５Ｂの上記左側面部１０１Ｌｂ側に向かって張り出している（図１３、図１４参照）。また、上記左係合部２０３Ｌｆ，２０３Ｌｒは、サイドカバー５Ｂの上記左上端部１０１Ｌａの下方内側に入り込んでいる（図１４参照）。このとき、上記左係合部２０３Ｌｆ，２０３Ｌｒに係合する、サイドカバー５Ｂの上記左壁部１０１ＬＬの左被係合部１０１Ｌｆ，１０１Ｌｒは、上記ロールカバー５Ａの上記左側壁部２０２Ｌ側には突出しないように上記左上端部１０１Ｌａから下方に延びている（図１４参照）。また、上記目隠しリブ２１０Ｌは、上記左係合部２０３Ｌの上方において左上端部１０１Ｌａの下方内側に入り込むように上記左側壁部２０２Ｌから突出している（図１４参照）。そして、前述の位置決め用貫通孔２０６Ｌｆ，２０６Ｌｒに嵌合する、上記左壁部１０１ＬＬの上記位置決め用ボス１０６Ｌｆ，１０６Ｌｒは、上記ロールカバー５Ａの上記左側壁部２０２Ｌ側には突出しないように、左上端部１０１Ｌａから下方に延びている（図１３参照）。同様に、左壁部１０１ＬＬのネジ止め用ボス１０５Ｌｆ，１０５Ｌｒは、ロールカバー５Ａの左側壁部２０２Ｌ側には突出しないように、左上端部１０１Ｌａから下方に延びている。
【００５１】
上記のように、ロールカバー５Ａにサイドカバー５Ｂが組み付けられた状態で、ネジ止め用貫通孔２０５Ｒｆ，２０５Ｒｒ，２０５Ｌｆ，２０５Ｌｒにそれぞれ貫通させたネジを、ネジ止め用ボス１０５Ｒｆ，１０５Ｒｒ，１０５Ｌｆ，１０５Ｌｒのネジ穴に締結する。これにて、ロールカバー５Ａにサイドカバー５Ｂが固定される。
【００５２】
＜実施形態の効果＞
以上説明したように、本実施形態においては、上カバー５は、透明なロールカバー５Ａと不透明なサイドカバー５Ｂとから構成され、サイドカバー５Ｂの右壁部１０１ＲＲの右上端部１０１Ｒａと左壁部１０１ＬＬの左上端部１０１Ｌａとの間に、ロールカバー５Ａの上面部２０１が嵌め込まれる。その際、サイドカバー５Ｂの右壁部１０１ＲＲ及び左壁部１０１ＬＬには、上記右上端部１０１Ｒａ及び左上端部１０１Ｌａの下面からそれぞれ下方に延びる右被係合部１０１Ｒ及び左被係合部１０１Ｌが設けられている。そして、ロールカバー５Ａの右側壁部２０２Ｒ及び左側壁部２０２Ｌにそれぞれ設けられた右係合部２０３Ｒ及び左係合部２０３Ｌが、それら右被係合部１０１Ｒ及び左被係合部１０１Ｌに夫々係合することで、互いに組み付けられる。
【００５３】
このとき、右被係合部１０１Ｒ及び左被係合部１０１Ｌは、サイドカバー５Ｂの右上端部１０１Ｒａ及び左上端部１０１Ｌａの下方内側に入り込む（図１４参照）。これにより、上記右被係合部１０１Ｒ及び左被係合部１０１Ｌと右係合部２０３Ｒ及び左係合部２０３Ｌとの係合箇所は、不透明な第２カバーの右上端部１０１Ｒａ及び左上端部１０１Ｌａの下方に位置する。したがって、上方から透明なロールカバー５Ａ越しに見た場合であっても、外部からそれら上記右被係合部１０１Ｒ及び左被係合部１０１Ｌと右係合部２０３Ｒ及び左係合部２０３Ｌとの係合箇所は視認されない（ラベル作成装置１の上方からの外観図である図１５とその透視図である図１６とを参照）。この結果、従来構造を応用してカバー自体を透明にする場合と異なり、カバー（ロールカバー５Ａ及びサイドカバー５Ｂ）越しの外観を良好にし、美観を向上することができる。
【００５４】
また、本実施形態では特に、上記右被係合部１０１Ｒｆ，１０１Ｒｒは、右壁部１０１ＲＲのうち前後方向中央近傍に夫々設けられ、上記左被係合部１０１Ｌｆ，１０１Ｌｒは、左壁部１０１ＬＬのうち前後方向中央近傍に夫々設けられている。そして、上記に対応して、上記右係合部２０３Ｒｆ，２０３Ｒｒは上記右側壁部２０２Ｒの前後方向中央近傍に設けられ、上記左係合部２０３Ｌｆ，２０３Ｌｒは上記左側壁部２０２Ｌの前後方向中央近傍に設けられている。これには以下のような意義がある。
【００５５】
すなわち、上記のようにしてロールカバー５Ａとサイドカバー５Ｂとを組み付けたときに、その合わせ面（ロールカバー５Ａの上面部２０１と、サイドカバー５Ｂの右壁部１０１ＲＲの右上端部１０１Ｒａ及び左壁部１０１ＬＬの左上端部１０１Ｌａとの合わせ面）が開き易いのは、前後方向中央近傍である。これに対して、本実施形態においてはこの位置（前後方向中央近傍）に右被係合部１０１Ｒ及び右係合部２０３Ｒ、左被係合部１０１Ｌ及び左係合部２０３Ｌを設けることで、上記合わせ面が開くことを確実に抑制することができる。
【００５６】
また、本実施形態では特に、上記右係合部２０３Ｒ及び左係合部２０３Ｌの上方において右上端部１０１Ｒａ及び左上端部１０１Ｌａの下方内側に入り込むように突出する、目隠しリブ２１０Ｒ，２１０Ｌが設けられている、これには以下のような意義がある。すなわち、本実施形態では、前述のように、右係合部２０３Ｒ及び左係合部２０３Ｌと、右被係合部１０１Ｒ及び左被係合部１０１Ｌとが係合することでロールカバー５Ａとサイドカバー５Ｂとが組み付けられる。その際、組み付け誤差等により上記合わせ面に僅かな隙間があったとしても、本実施形態においては、右側壁部２０２Ｒ及び左側壁部２０２Ｌから外側に突出する目隠しリブ２１０Ｒ，２１０Ｌが設けられている（図１３、図１４等参照）ので、その隙間からはカバー内部が見えることがない（図１５、図１６参照）。
【００５７】
また、本実施形態では特に、前述のようにしてロールカバー５Ａの上面部２０１がサイドカバー５Ｂの右壁部１０１ＲＲ及び左壁部１０１ＬＬに嵌め込まれるとき、サイドカバー５Ｂの右壁部１０１ＲＲ及び左壁部１０１ＬＬに設けた右嵌込部１１０Ｒ及び左嵌込部１１０Ｌが、ロールカバー５Ａの目隠しリブ２１０Ｒ，２１０Ｌに設けた右被嵌込部２１０Ｒａ及び左被嵌込部２１０Ｌａに嵌め込まれることで、安定的に組み付けられる。この結果、組み付け時の取扱性・操作性を向上することができる。
【００５８】
また、本実施形態では特に、ロールカバー５Ａの上面部２１０の前後端（又はその近傍）に設けたヒンジ部２２０Ｒ，２２０Ｌとブラケット６５Ｒ，６５Ｌとの間に、右補強リブ２３０Ｒ及び左補強リブ２３０Ｌがそれぞれ設けられる。これにより、ロールカバー５Ａの剛性を向上させることができる。この結果、上カバー５を閉じた状態で、ヒンジ部２２０Ｒ，２２０Ｌに対してブラケット６５Ｒ，６５の位置を安定させることができるので、プラテンローラ６６の位置を精度良く位置決めすることができる。
【００５９】
また、本実施形態では特に、右連結リブ２４０Ｒによって、ロールカバー５Ａの右側壁部２０２Ｒのうち右嵌込部１１０Ｒに対応する部位と右補強リブ２３０Ｒとを連結するとともに、左連結リブ２４０Ｌによって、ロールカバー５Ａの左側壁部２０２Ｌの左嵌込部１１０Ｌに対応する部位と左補強リブ２３０Ｌとを連結する。これにより、前述の組み付け時に、サイドカバー５Ｂの右嵌込部１１０Ｒ及び左嵌込部１１０Ｌがロールカバー５Ａの右被嵌込部２１０Ｒａ及び左被嵌込部２１０Ｌａにそれぞれ嵌め込まれる際、高い剛性を確保しつつ安定的に組み付けることができる。
【００６０】
また、本実施形態では特に、右係合部２０３Ｒ及び左係合部２０３Ｌと、右被係合部１０１Ｒ及び左被係合部１０１Ｌとがそれぞれ係合し、位置決め用貫通孔２０６Ｒｆ，２０６Ｒｒ，２０６Ｌｆ，２０６Ｌｒと、位置決め用ボス１０６Ｒｆ，１０６Ｒｒ，１０６Ｌｆ，１０６Ｌｒとがそれぞれ係合することによって、ロールカバー５Ａに対してサイドカバー５Ｂの位置決めがなされる。その後、ネジ止め用貫通孔２０５Ｒｆ，２０５Ｒｒ，２０５Ｌｆ，２０５Ｌｒのそれぞれに貫通させたネジを、ネジ止め用ボス１０５Ｒｆ，１０５Ｒｒ，１０５Ｌｆ，１０５Ｌｒのネジ穴に締結する。以上より、ロールカバー５Ａとサイドカバー５Ｂの組み付け状態を安定的かつ堅固に固定することができる。また、ネジ止め用ボス１０５Ｒｆ，１０５Ｒｒ，１０５Ｌｆ，１０５Ｌｒは、位置決め用ボス１０６Ｒｆ，１０６Ｒｒ，１０６Ｌｆ，１０６Ｌｒとともに、ロールカバー５Ａ側には突出しないように、サイドカバー５Ｂの右上端部１０１Ｒａ及び左上端部１０１Ｌａの下面から下方に延設されている（図１３等参照）。これにより、前述と同様、上方から透明なロールカバー５Ａ越しに見た場合であっても、ねじ止め用ボス・位置決め用ボス及びその周囲構造は視認されることはないので、上記美観を損ねることがない（図１５、図１６参照）。
【００６１】
また、本実施形態では特に、ネジ止め用貫通孔２０５Ｒｆ，２０５Ｒｒ，２０５Ｌｆ，２０５Ｌｒ、及び位置決め用貫通孔２０６Ｒｆ，２０６Ｒｒ，２０６Ｌｆ，２０６Ｌｒが、右張出部２０４Ｒ及び左張出部２０４Ｌの前端近傍と後端近傍とに夫々設けられる。これにより、ロールカバー５Ａとサイドカバー５Ｂとを組み付けるとき、それぞれの前端及び後端が精度良く位置決めできる。すなわち、ロールカバー５Ａ及びサイドカバー５Ｂの組み付け位置を精度良く決めることができる。
【００６２】
なお、以上の説明において、「垂直」「鉛直」「平行」「平面」等の記載がある場合には、当該記載は厳密な意味ではない。すなわち、それら「垂直」「鉛直」「平行」「平面」とは、設計上、製造上の公差、誤差が許容され、「実質的に垂直」「実質的に鉛直」「実質的に平行」「実質的に平面」という意味である。
【００６３】
また、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【００６４】
また、以上既に述べた以外にも、上記実施形態や各変形例による手法を適宜組み合わせて利用しても良い。
【００６５】
その他、一々例示はしないが、本発明は、その趣旨を逸脱しない範囲内において、種々の変更が加えられて実施されるものである。
【符号の説明】
【００６６】
１                ラベル作成装置（印刷装置）
２                筐体（本体部）
４                ロール収納部（収容部）
５                上カバー
５Ａ              ロールカバー（第１カバー）
５Ｂ              サイドカバー（第２カバー）
６５Ｌ，Ｒ        ブラケット（保持部）
６６              プラテンローラ
１００            ロール
１００Ａ          被印字テープ（被印字媒体）
１０１Ｌａ        左上端部
１０１Ｌｂ        左側面部
１０１Ｌｆ        左被係合部
１０１ＬＬ        左壁部
１０１Ｌｒ        左被係合部
１０１Ｒａ        右上端部
１０１Ｒｂ        右側面部
１０１Ｒｆ        右被係合部
１０１ＲＲ        右壁部
１０１Ｒｒ        右被係合部
１０５Ｌｆ        ネジ止め用ボス（左第１ボス）
１０５Ｌｒ        ネジ止め用ボス（左第１ボス）
１０５Ｒｆ        ネジ止め用ボス（右第１ボス）
１０５Ｒｒ        ネジ止め用ボス（右第１ボス）
１０６Ｌｆ        位置決め用ボス（左第２ボス）
１０６Ｌｒ        位置決め用ボス（左第２ボス）
１０６Ｒｆ        位置決め用ボス（右第２ボス）
１０６Ｒｒ        位置決め用ボス（右第２ボス）
１１０Ｌ          左嵌込部
１１０Ｒ          右嵌込部
２０１            上面部
２０２Ｌ          左側壁部
２０２Ｒ          右側壁部
２０３Ｌｆ        左係合部
２０３Ｌｒ        左係合部
２０３Ｒｆ        右係合部
２０３Ｒｒ        右係合部
２０４Ｌ          左張出部
２０４Ｒ          右張出部
２０５Ｌｆ        ネジ止め用貫通孔（第１貫通孔）
２０５Ｌｒ        ネジ止め用貫通孔（第１貫通孔）
２０５Ｒｆ        ネジ止め用貫通孔（第１貫通孔）
２０５Ｒｒ        ネジ止め用貫通孔（第１貫通孔）
２０６Ｌｆ        位置決め用貫通孔（第２貫通孔）
２０６Ｌｒ        位置決め用貫通孔（第２貫通孔）
２０６Ｒｆ        位置決め用貫通孔（第２貫通孔）
２０６Ｒｒ        位置決め用貫通孔（第２貫通孔）
２１０Ｌ          目隠しリブ（左目隠しリブ）
２１０Ｌａ        左被嵌込部
２１０Ｒ          目隠しリブ（右目隠しリブ）
２１０Ｒａ        右被嵌込部
２２０Ｌ          ヒンジ部
２２０Ｒ          ヒンジ部
２３０Ｌ          左補強リブ
２３０Ｒ          右補強リブ
２４０Ｌ          左連結リブ
２４０Ｒ          右連結リブ
【図１】
2019018515.tif 000003
【図２】
2019018515.tif 000004
【図３】
2019018515.tif 000005
【図４】
2019018515.tif 000006
【図５】
2019018515.tif 000007
【図６】
2019018515.tif 000008
【図７】
2019018515.tif 000009
【図８】
2019018515.tif 000010
【図９】
2019018515.tif 000011
【図１０】
2019018515.tif 000012
【図１１】
2019018515.tif 000013
【図１２】
2019018515.tif 000014
【図１３】
2019018515.tif 000015
【図１４】
2019018515.tif 000016
【図１５】
2019018515.tif 000017
【図１６】
2019018515.tif 000018